(57)【要約】【課題】  異なる形状のワイパブレードに装着して、ワイプ面へ効果的に洗浄液を導くことができるワイパ付属装置及びそれを使用するワイパ装置を提供する。【解決手段】  ワイパブレードの長手軸に沿って延び、洗浄液を供給する供給ダクトに接続されているパイプ、ワイプ面に洗浄液を送るアレイ状のノズル、パイプをワイパブレードに取り付ける複数の取付部材、及びワイパアームに取り付けられ、パイプ及び供給ダクト用の連通コネクタを備えている。【選択図】図５
2010524749.tif 000002
【特許請求の範囲】
【請求項１】
ワイパブレード（１０）に取り付けられ、ワイプ面に洗浄液を導くワイパ付属装置において、
取付部材（１１）と供給ダクト（１４）を接続する供給ダクトコネクタ（１３）とが一体的に形成されたノズル（１２）を備え、前記取付部材（１１）は前記ワイパブレード（１０）の前記ワイプ面と反対側のエッジの周りに係合する複数の係合アーム（３１）を有することを特徴とするワイパ付属装置。
【請求項２】
前記各係合アーム（３１）は、前記ワイパブレード（１０）に沿って延びる溝（３３）と係合する自由突片（３２）を有することを特徴とする請求項１に記載のワイパ付属装置。
【請求項３】
前記供給ダクト（１４）を前記ワイパブレード（１０）に取り付けるクランプ（１６）を更に含み、クランプ（１６）は、前記ワイパブレード（１０）のワイプ面と反対のエッジの周りに係合する係合アーム（３１）を有し、前記クランプ（１６）の各係合アーム（３１）は、前記ワイパブレード（１０）に沿って延びる前記溝（３３）と係合する突片（３２）を有することを特徴とする請求項２に記載のワイパ付属装置。
【請求項４】
前記各係合アーム（３１）は、前記ワイパブレード（１０）のストリップ状係合片（３５）の外部エッジ部を受ける溝（３４）を有することを特徴とする請求項１〜３のいずれかに記載のワイパ付属装置。
【請求項５】
前記供給ダクト（１４）を前記ワイパブレード（１０）に取り付けるクランプ（１６）を更に含み、前記クランプ（１６）は、前記ワイパブレード（１０）のワイプ面の反対エッジの周りに係合する係合アーム（３１）を有し、前記クランプ（１６）の各係合アーム（３１）は、前記ワイパブレード（１０）のストリップ状係合片（３５）の外側縁を受ける内向溝（３４）を有することを特徴とする請求項４に記載のワイパ付属装置。
【請求項６】
前記クランプ（１６）は、前記供給ダクト（１４）の周りに係合する１対の協働アームを有することを特徴とする請求項３又は５に記載のワイパ付属装置。
【請求項７】
前記ノズル（１２）は、前記ワイパブレード（１０、２２）の長手軸に沿って離間する複数のノズル出口を備え、このノズル出口は、前記ノズル（１２）から前記ワイプ面に洗浄液をスプレイするように構成されていることを特徴とする請求項１〜６の何れかに記載のワイパ付属装置。
【請求項８】
ワイパブレード及びワイパアームに取り付けられ、ワイプ面に洗浄液を導くワイパ付属装置を備えるワイパ装置において、
前記ワイパブレード（２０）の長手軸に沿って平行に延び、洗浄液を供給するよう動作する供給ダクトに接続される細長いパイプ（２４）と、
前記パイプ（２４）に沿って前記パイプの延長方向に配置され、前記ワイプ面に洗浄液を送るアレイ状のノズル（２９）と、
前記パイプ（２４）を前記ワイパブレード（２０）に取り付ける複数の取付部材（２５）と、
前記ワイパアームを取り付けられると共に、前記パイプ（２４）及び前記供給ダクト用の連通コネクタ（３６）とを備えることを特徴とするワイパ装置。
【請求項９】
前記パイプ（２４）は、多角形の断面を有することを特徴とする請求項８に記載のワイパ装置。
【請求項１０】
前記パイプ（２４）の端部をシールすると共に、前記パイプ端を前記取付部材（２５）の１つに固定するプラグ部材（３０）を更に備えることを特徴とする請求項８又は９に記載のワイパ装置。
【請求項１１】
前記プラグ部材（３０）は、前記取付部材の反対面と係合する平坦部を有し、前記パイプ（２４）が長手軸の周りに回転するのを阻止するようになっていることを特徴とする請求項１０に記載のワイパ装置。
【発明の詳細な説明】
【技術分野】
【０００１】
本発明は、ワイパ付属装置及びそれを備えるワイパ装置に関し、特にワイパブレードに取り付けられ、ワイパブレードからワイプ面に洗浄液を送るようになっているワイパ付属装置、及びそれを使用するワイパ装置に関するが、必ずしもこの用途に限定されるものではない。
【背景技術】
【０００２】
車両において、ワイパブレードにより、ウインドスクリーン又はフロントガラスをワイプする間に、ウインドスクリーンに洗浄液をスプレイ又は噴射することは知られている。この洗浄液は、ウインドスクリーンの下端にあるジェット、即ち噴射部により、ウインドスクリーンにスプレイされる。このようにして、洗浄液をウインドスクリーンに噴射する際には、洗浄液がウインドスクリーンの前面をカバーし得ないので、ウインドスクリーンの一部分のみしか洗浄できないという問題がある。
【０００３】
ウインドスクリーンのワイパ自体に取り付けられて洗浄液を搬送する供給ダクトを有する幾つかのシステムが提案されている。これにより、ウインドスクリーン洗浄液を、ウインドスクリーンワイパからウインドスクリーンに直接スプレイすることが可能になる。
【０００４】
あるシステムでは、ワイパブレードがプロファイルカバーを有し、そのカバー内の全長に亘って、通路が設けられている。洗浄液は、この通路を通り、かつ通路の全長に亘って分布されているノズルから、ワイプされるガラス面へ供給される。このシステムにおける課題は、ノズルがワイパブレードの全長に沿ってのみ設けられ、ノズルの位置を変化させることができないということである。またプロファイルカバーには、その全長に亘って溝が設けられ、ワイパブレードの側面のスプライン、即ち平行な突条と係合するようになっている。そのためこのカバーは特定の形状又は断面を有する１つのタイプのワイパブレードのみとしか適合することはできない。
【０００５】
他のシステムでは、洗浄液を送るダクトが、複数のクリップにより、ワイパブレードに取り付けられている。各クリップには、中空の針が設けられ、この針は、ダクトの壁面を刺通している。そのため、洗浄液は針を通って、クリップに設けられた孔を通過することができる。針の一端は、ダクトの壁を刺通した後、ダクト内に収容されている。
【０００６】
このシステムでは、もしクリップが間違った位置に配置された場合、その後、クリップを所望位置へ移動させるために、ダクトに孔をあけることにより、洗浄液がその孔から漏洩するという問題がある。
【発明の概要】
【発明が解決しようとする課題】
【０００７】
本発明は、従来技術の有する上述のような課題に鑑みなされたものであり、この課題を克服するワイパ付属装置、及びそれを使用するワイパ装置を提供することを主たる目的としている。
【課題を解決するための手段】
【０００８】
上述した従来技術の課題を克服又は軽減すると共に、上述した目的を達成するために、本発明のワイパ付属装置、及びそれを使用するワイパ装置は、次の如き特徴的な構成を採用している。
【０００９】
本発明のワイパ付属装置は、ワイプ面に洗浄液を供給するための供給ダクト、及びノズルを備えている。ノズルは、取付部材及び供給ダクトコネクタと一体に形成されている。取付部材は、ワイパブレードのワイプ面と反対のエッジの周りに係合するようになっている係合アームを備えている。そのため、本発明の装置は、ワイパブレード上の任意の箇所に取付けて、ワイプ面を好適にワイプすることができる。
【００１０】
各係合アームは、ワイパブレードに沿って延びる溝内に係合するよう構成された自由ウイングを有しているのが好ましい。本発明の装置は、ワイパブレードに供給ダクトを取り付けるクランプ部材を備えているのが好ましい。このクランプ部材は、係合アームを備え、ワイパブレードのワイプ面と反対のエッジの周りに係合するようになっている。また、クランプ部材の係合アームは、各ワイパブレードに沿って延びる溝に係合するように構成された自由ウイングを有する。
【００１１】
これに代わり、各係合アームに、ワイパブレードのストリップ型スプラインの外側エッジ部を受けるように構成された溝を設けることもある。また、クランプ部材を設けて、供給ダクトをワイパブレードに取付けるようにしてある。この場合には、クランプ部材は、係合アームを備え、ワイパブレードのワイプ面と反対のエッジの周りに係合する。クランプ部材の各係合アームは、溝を有し、ワイパブレードのストリップ型スプラインの外側エッジ部を受支するようにしてある。クランプ部材は、供給ダクトの周囲に係合しうる１対の協働するアームを備えている。
【００１２】
ノズルには、ワイパブレードの長手軸に沿って、間隔をあけて複数のノズル出口を設けることがある。これにより、ノズルから放出される洗浄液を、スプレイ状として、ワイプ表面に向けることができる。
【００１３】
また、本発明のワイプ装置は、洗浄液をワイプ表面へ導くワイパブレード及びワイパアームへの取付装置であって、ワイパブレードの長手軸と平行に、ワイパブレードの全長に沿って延びる細長いパイプを備えている。このパイプは、洗浄液をパイプに供給する供給ダクトに接続可能に構成されている。複数のノズルの列が、パイプの長手方向に設けられている。複数の取付部材が設けられ、パイプをワイパブレードに取り付け、かつコネクタ部材をワイパアームに取り付けるようになっており、更にパイプ及び供給ダクト用の連通コネクタを備えている。これにより、あらゆる形状及び構成のワイパーブレードに接続取付可能となっている。換言すると、ワイパブレードの形状や構造が異なるごとに、別の取付治具を準備する必要はない。またこの取付は、ワイパブレードを変更することなく、既存のシステムにも適用可能である。
【００１４】
開口の断面積をパイプの断面積と等しくすることにより、パイプを取付部材に確実に保持するようになっている。パイプは、円筒状である。パイプ及び開口は、多角形の断面形状とするのが好ましい。このようにすると、取付部材内でパイプが捩れるのが防止され、その結果、全てのノズルが一定方向を向くようになる。プラグ部材が、開口に適合するようにして設けられ、パイプの端部をシールすると共に、パイプの端部を取付部材の１つに固定するようになっている。プラグ部材は平坦であって、取付部材の反対面と係合し、パイプがその長手軸を中心に回転するのを阻止するようになっているのが理想的である。
【発明の効果】
【００１５】
上述の如き特徴的な構成を有する本発明のワイパ付属装置及びそれを使用するワイパ装置によると、ワイプ面を洗浄するあらゆるワイパブレードに取付可能であり、車両のウインドスクリーンをワイプするワイパブレード用として特に好適である。本発明のその他の種々の効果は、本発明の実施形態に基づく以下の説明から理解しうると思う。
【図面の簡単な説明】
【００１６】
【図１】本発明のワイパ付属装置の第１実施例の斜視図である。
【図２】図１に示すワイパ付属装置の変形例を示す斜視図である。
【図３】図１に示す本発明によるワイパ付属装置が取り付けられるワイパブレードに使用されるクランプの斜視図である。
【図４】図２に示す本発明によるワイパ付属装置が取り付けられるワイパブレードに使用されるクランプの斜視図である。
【図５】本発明によるワイパ付属装置及びクランプが取り付けられるワイパブレードの斜視図である。
【図６】本発明のワイパ付属装置の第２実施例を備えるウインドスクリーン用ワイパ装置の斜視図である。
【図７】図６の主要部の詳細構成を示す拡大斜視図である。
【図８】図７の一部分の詳細構成を示す拡大斜視図である。
【発明を実施するための形態】
【００１７】
次に、本発明によるワイパ付属装置及びそれを備えるワイパ装置の好適な実施例を、添付図面を参照して詳細に説明する。
【００１８】
図１〜図５を参照して、本発明によるワイパブレード１０に取り付けられるワイパ付属装置の第１実施例について説明する。取付部材１１は、ワイパブレード１０を受容しうる開口を有する。取付部材１１に隣接して、ノズル１２が一体的に設けられている。取付部材１１には左右１対の係合アーム３１が設けられ、これらの係合アーム３１は、ワイパブレード１０のワイプ面と反対側の側縁に係合している。
【００１９】
ノズル１２の一端には、供給ダクトコネクタ１３が突設されている。供給ダクト１４が供給ダクトコネクタ１３を介してノズル１２に接続され、供給ダクト１４は、ワイパブレード１０と平行をなしている。例えば車両のウインドスクリーン又はフロントガラスを洗浄するための洗浄液が、供給ダクト１４によりノズル１２に供給され、ノズル１２の孔からスプレイされる。図１に示すワイパ付属装置は、いわゆるクロークランプ型ワイパブレード用であり、図２に示すワイパ付属装置は、フラット型ワイパプレード用である。
【００２０】
図１において、各係合アーム３１の内端には、内方を向く突片３２が設けられている。各突片３２は、ワイパブレード１０の両側に設けられた長手方向の溝３３と係合し、本発明の取付装置をワイパブレード１０に固定している。図２では、各係合アーム３１の内側端に溝３４が設けられている。この溝３４は、ワイパブレード１０の両側に設けられた、ワイパブレード１０の長手方向を向く係合片３５を受容することにより、本発明のワイパ付属装置をワイパブレード１０に固定する働きをしている。従って、ワイパブレード１０を受容する開口を、ワイパブレード１０のワイプ面と反対側であるワイパブレード１０の上面と同じ形状とし、かつ係合アーム３１をワイパブレード１０のエッジと係合しうる形状とすることにより、取付部材１１を、あらゆる形状のワイパブレードを支持しうるように形成することができる。
【００２１】
ノズル１２の両側に、それぞれ吐出口が設けられている。この様子は、図５に明瞭に示されており、図５では、２個のノズル１２が、ワイパブレード１０に設けられている。これらのノズル１２は、ワイパブレード１０の長手方向に配列されている。しかし、これに代わって、ノズル１２に、ワイパブレード１０の長手軸方向に離間する複数の吐出口を設けてもよい。この場合には、ノズルの吐出口は、洗浄液がノズル１２から放出されるとき、ワイプ面の全体に亘って洗浄液がスプレイされるような形状とされる。
【００２２】
ワイパーブレード１０の両端のクランプ１６における保持孔１９に、供給ダクト１４の所定位置が固定保持される。これにより、供給ダクト１４は、ワイパブレード１０の側部に確実に固定され、ワイパブレード１０と干渉することはない。クランプ１６は、ワイパブレード１０の両端に設けられている。また、図３及び図４に示すように、クランプ１６には、異なる形状のワイパブレードに適合しうる形状及び構成を有する係合アーム３１が設けられている。図３では、各係合アーム３１の先端には、内向突片３２が設けられ、ワイパブレード１０の両側に、ワイパブレード１０の長さに沿って設けられた外向溝３３と係合するようになっている。他方、図４では、各係合アーム３１の先端には、内向溝３４が設けられ、ワイパブレード１０の長さに沿って、ワイパブレード１０の両側から突出する係合片３５を受容するようになっている。
【００２３】
ワイプ面をワイパブレード１０でワイプし、かつその面を洗浄する必要が生じたとき、ワイパブレード１０を作動させると、洗浄液が供給ダクト１４を通ってノズル１２内に流れる。次に、ワイパブレード１０がワイプ面を移動する際に、洗浄液はノズル１２の開口から噴射される。ワイパブレード１０がワイプ面を移動するとき、洗浄液はワイパブレード１０からスプレイされるので、洗浄液はワイプ面の広い面積に行き渡り、ワイプ面のワイピング動作は効果的になる。
【００２４】
次に、図６〜図８を参照して、本発明のワイパ装置の第２実施例について説明する。図示のウインドスクリーンワイパ２０は、ワイパブレード２２をワイパアーム２３に取り付けるコネクタ２１を有する。かつワイパブレード２２は、ウインドスクリーンワイパブレード２０の下側に設けられ、かつパイプ２４が、取付クリップ又は取付部材２５によりウインドスクリーンワイパブレード２０のエッジに固定されている。この様子は、図７及び図８により明瞭に示されている。各取付部材２５は、ワイパブレード２０に固定するクランプ２６、及びパイプ２４を受支する開口２７を有する。クランプ２６は、同様の断面を有するウインドスクリーンワイパブレード２０を支持しうる適当な断面形状を有する。
【００２５】
パイプ２４は、クリップ２５及び開口２７を介して案内される。ここで、開口２７は、パイプ２４の断面積と略等しい表面積を有しており、パイプ２４は開口２７内に確実に固定される。図示の場合、開口２７及びパイプ２４の両方は、六角形の断面を有する。
【００２６】
供給ダクト２８の一端は、コネクタ２１により、パイプ２４に接続されている。コネクタ２１は、供給ダクト２８をパイプ２４に接続する連通コネクタ３６を有する。供給ダクト２８の他端は、洗浄液を貯留するタンク（図示せず）に接続されている。次に供給ダクト２８は、洗浄液をパイプ２４内に供給する。ノズル２９の列がパイプ２４に設けられており、そこから洗浄液が流れ出す。ワイパブレード２２の各端部に設けられた取付部材２５の開口２７内に、プラグ部材３０が設けられ、各端部において、パイプ２４が取付部材２５から滑り落ちるのを防止すると共に、パイプ２４の両端をシールして、洗浄液が漏れるのを阻止している。
【００２７】
プラグ部材３０は、パイプ２４及び開口２７と同じ断面形を有し、パイプ２４が開口２７の内部で捩れるのを阻止する機能をも有する。このことは、ノズル２９がウインドスクリーンワイパブレード２０の使用中に、必要な位置を保持することを意味する。各取付部材２５に設けられたクランプ２６は、ワイパブレード１０の上面と同じ断面を有し、クランプ２６は、ウインドスクリーンワイパ２０に確実に保持されている。
【００２８】
ウインドスクリーンのワイピングと同時に、ウインドスクリーンを洗浄する必要がある場合には、ウインドスクリーンワイパブレード２０を作動させ、洗浄液を上述したタンク（図示せず）から、ワイパブレード２２に沿って設けられたパイプ２４内に、供給ダクト２８及びコネクタ２１に設けられた連通コネクタ３６を介して、ワイパアーム２３に沿って流す。
【００２９】
ワイパブレード２２が、その静止位置からウインドスクリーンの全面を移動すると、洗浄液は、ワイパブレード２２の移動方向と平行に、ノズル２９から放出される。ノズル２９を、パイプ２４に沿って配置することができ、このようにすると、洗浄液は分散され、ウインドスクリーンを効果的に洗浄することができる。
【００３０】
以上、本発明のワイパ付属装置及びそれを使用するワイパ装置の特定の実施例を、添付図面に基づき詳述したが、これらの実施例は、本発明の単なる例示に過ぎず、何ら本発明を限定するものではない。本発明の精神及び要旨を逸脱することなく、特定の用途に応じて、種々の変形変更が可能であることは、当業者には容易に理解しうると思う。
【符号の説明】
【００３１】
１０  ワイパブレード
１１  取付部材
１２  ノズル
１３  供給ダクトコネクタ
１４  供給ダクト
１６  クランプ
１９  保持孔
２０  ワイパブレード
２１  コネクタ
２２  ワイパブレード
２３  ワイパアーム
２４  パイプ
２５  取付部材
２６  クランプ
２７  開口
２８  供給ダクト
２９  ノズル
３０  プラグ部材
３１  係合アーム
３２  内向突片
３３  外向溝
３４  内向溝
３５  係合片
３６  連通コネクタ
【図１】
2010524749.tif 000003
【図２】
2010524749.tif 000004
【図３】
2010524749.tif 000005
【図４】
2010524749.tif 000006
【図５】
2010524749.tif 000007
【図６】
2010524749.tif 000008
【図７】
2010524749.tif 000009
【図８】
2010524749.tif 000010
【国際調査報告】
2010524749.tif 000011
2010524749.tif 000012
2010524749.tif 000013
2010524749.tif 000014
2010524749.tif 000015